(57)【要約】      （修正有）【課題】組立が容易で、ペットの使用による破損を防止しうる剛性を有し、かつ形成が容易な使い捨てのペット用トイレを提供する。【解決手段】方形状の底面板１１と、上記底面板１１の互いに対向する一の辺部２５ａ，２５ｂに折り目１４ａ，１４ｂを介して立設可能に形成された一対の立設壁部１２ａ，１２ｂと、上記底面板１１の互いに対向する他の辺部２６ａ，２６ｂに折り目１５ａ，１５ｂを介して立設可能に形成された一対の側壁板部１３ａ，１３ｂとにより形成されているペット用トイレ１０であって、上記立設壁部１２ａ，１２ｂには、上記側壁板部１３ａ，１３ｂと係合することにより上記側壁板部１３ａ，１３ｂの立設状態を保持しうる係合スリット部２３ａ，２３ｂ，２３ｃ，２３ｄが形成されている。【選択図】図１
0003115332.tif 000002
【実用新案登録請求の範囲】
【請求項１】
方形状の底面板と、上記底面板の互いに対向する一の辺部に折り目を介して立設可能に形成された一対の立設壁部と、
上記底面板の互いに対向する他の辺部に折り目を介して立設可能に形成された一対の側壁板部とにより形成されているペット用トイレであって、
上記立設壁部には、上記側壁板部と係合することにより上記側壁板部の立設状態を保持しうる係合スリット部が形成されていることを特徴とするペット用トイレ。
【請求項２】
上記立設壁部は、上記底面板の上記一の辺部に沿って形成された折り目を介して延設された外側板部と、
上記外側板部に対し折り目を介して延設された連設板部と、
上記連設板部に対し折り目を介して延設され、上記外側板部と共に上記立設壁部の立設状態を保持しうるように形成されている内側板部とにより形成可能に構成されていることを特徴とする請求項１記載のペット用トイレ。
【請求項３】
上記側壁板部には、上記立設壁部に設けられている係合スリット部に係合しうるように形成されている固定スリット部が形成されていることを特徴とする請求項１記載のペット用トイレ。
【請求項４】
上記内側板部には、上記側壁板部に形成されている上記固定スリット部に係合しうるように形成されている係合スリット部が形成され、
上記立設壁部は、上記立設壁部を構成しうる、上記外側板部と、上記連設板部と、上記内側板部と、上記外側板部と連設板部とを係合しうる折り目、及び上記連設板部と内側板部とを係合しうる折り目を介して、横断面コ字状の立設壁部を形成しうるように構成されていることを特徴とする請求項２及び３記載のペット用トイレ。
【請求項５】
上記底面板には、略中央において、上記一対の側壁板部の間に形成されている折り目が形成されていることを特徴とする請求項１乃至４記載のペット用トイレ。
【請求項６】
上記内側板部には、略中央において、上記内側板部に形成された係合スリット部と、上記側壁板部に形成された固定スリット部との係合状態を解除しうる際に指を挿入しうる切欠部が形成されていることを特徴とする請求項４乃至５記載のペット用トイレ。
【請求項７】
上記底面板の上面には、ペット用のトイレシーツを配置しうるように形成され、
トイレの組立時においては、上記底面板と、上記内側板部の端部とにより、上記底面板の上面に配置されたトイレシーツを挟持しうるように形成されていることを特徴とする請求項２乃至６記載のペット用トイレ。
【考案の詳細な説明】
【技術分野】
【０００１】
本考案は、ペットの使い捨てトイレに係り、特に組立が容易で、使用後においては廃棄することができる衛生的なペット用トイレに関する。
【背景技術】
【０００２】
家庭等において、犬や猫等のペットを飼う場合にあっては、ペット用のトイレが使用されているが、上記ペット用のトイレは、掃除を頻繁に行わないと不衛生に成りやすく、また、排泄物が排泄された上記トイレを掃除することが煩わしいことから、従来から、ペット用の使い捨てトイレが使用されている（特許文献１、特許文献２）。
【０００３】
上記ペット用トイレは、使い捨ての観点から、ダンボール紙や、合成樹脂板等の安価な材料により形成され、ペットが上記トイレで排泄した後においては、上記ダンボール紙等により形成されたペット用トイレごと廃棄することができる。
【特許文献１】実開昭６３−１６０１５９号
【特許文献２】実開平０４−３８９２０号
【考案の開示】
【考案が解決しようとする課題】
【０００４】
上記特許文献１において、上記ネコ用トイレの組立にあっては、側面を立ち上げ、巻き込み部を側面側に折り込み、接着することにより形成されている。
【０００５】
したがって、上記トイレは、単に折り込まれた巻き込み部を接着することにより形成されているため強度が弱く、また上記巻き込み部を接着する必要があるため、別途糊などの接着剤を容易する必要があり、組立が煩雑なものとなっていた。
また、特許文献１の第６図に示すように、巻き込み部の上部に折り部を設けて、上記折り部によりトイレの組立状態を保持することにより接着することなく固定することができるが、上記固定は折り部による係合のみであるため、係合状態が脆弱で、使用により上記係合状態が解除されるおそれがある。
【０００６】
上記特許文献２において、上記ペット用トイレは、底面板と、この底面板の前後方向及び左右に連設された外面板と上記外面板の各々の内方に位置する内面板とによって二重壁に構成された側壁により形成され、上記前後方向及び左右方向に連設された各側壁は、所定の角度で傾斜しており、連設板と補強板とが上記外面板と内面板との間に挟入され形成されている。
【０００７】
したがって、トイレ組み立て用の紙の形成にあたり、紙の切り抜きが複雑であることから、紙の切り抜き工程が増加するため、使い捨ての製品にも関わらず製造コストが増大することとなっていた。
【０００８】
上記特許文献２にかかるペット用トイレにあっては、折込箇所が多いため、使用者はトイレの組立が煩雑であり、上記組立を容易に行うことができない。
上記トイレは使い捨てであることから、使用者は使用の度にペット用トイレの組立を行うこととなるため、上記トイレの組立にあっては短時間で行うことができるのが望ましい。
【０００９】
そこで本考案が解決しようとする課題は、組立が容易で、ペットの使用による破損を防止しうる剛性を有し、かつ形成が容易な使い捨てのペット用トイレを提供する。
【課題を解決するための手段】
【００１０】
このような技術的課題解決のため、請求項１記載の考案は、方形状の底面板と、上記底面板の互いに対向する一の辺部に折り目を介して立設可能に形成された一対の立設壁部と、上記底面板の互いに対向する他の辺部に折り目を介して立設可能に形成された一対の側壁板部とにより形成されているペット用トイレであって、上記立設壁部には、上記側壁板部と係合することにより上記側壁板部の立設状態を保持しうる係合スリット部が形成されていることを特徴とする。
【００１１】
したがって、請求項１記載の考案にあっては、上記対向する一の辺部において、折り目を介して立設壁部を立設することができ、上記対向する他の辺部において、折り目を介して一対の側壁板部を立設することができる。
【００１２】
上記立設壁部に形成されている上記係合スリット部を上記側壁板部に係合させることにより、上記側壁板部を立設することができる。
【００１３】
請求項２記載の考案は、上記立設壁部は、上記底面板の上記一の辺部に沿って形成された折り目を介して延設された外側板部と、上記外側板部に対し折り目を介して延設された連設板部と、上記連設板部に対し折り目を介して延設され、上記外側板部と共に上記立設壁部の立設状態を保持しうるように形成されている内側板部とにより形成可能に構成されていることを特徴とする。
【００１４】
したがって、請求項２記載の考案にあっては、上記外側板部と、上記内側板部とにより、上記立設壁部を立設することができる。
上記連設板部により、上記外側板部と内側板部とを連設して、上記立設壁部を立設することができる。
【００１５】
請求項３記載の考案は、上記側壁板部には、上記立設壁部に設けられている係合スリット部に係合しうるように形成されている固定スリット部が形成されていることを特徴とする。
【００１６】
したがって、請求項３記載の考案にあっては、上記立設壁部に形成されている係合スリット部と、上記側壁板部に形成されている固定スリット部とを係合することにより、上記立設壁部と、上記側壁板部同士を係合し、互いに立設状態を維持することができる。
【００１７】
請求項４記載の考案は、上記内側板部には、上記側壁板部に形成されている上記固定スリット部に係合しうるように形成されている係合スリット部が形成され、上記立設壁部は、上記立設壁部を構成しうる、上記外側板部と、上記連設板部と、上記内側板部と、上記外側板部と連設板部を係合しうる折り目、及び上記連設板部と内側板部とを係合しうる折り目を介して、横断面コ字状の立設壁部を形成しうるように構成されていることを特徴とする。
【００１８】
したがって、請求項４記載の考案にあっては、上記側板壁部に形成されている固定スリット部と上記内側板部に形成されている係合スリット部とを係合することにより、上記立設壁部と、上記側壁板部同士を係合し、互いに立設状態を維持することができる。
【００１９】
上記立設壁部は、上記外側板部と、上記連設板部と、上記内側板部と、各折り目とを介して横断面コ字状に形成されている。
【００２０】
請求項５記載の考案にあっては、上記底面板には、略中央において、上記一対の側壁板部の間に形成されている折り目が形成されていることを特徴とする。
【００２１】
したがって、請求項５記載の考案にあっては、上記折り目を介して上記底面板を二つ折りに折り畳むことができる。
【００２２】
請求項６記載の考案にあっては、上記内側板部には、略中央において、上記内側板部に形成された係合スリット部と、上記側壁板部に形成された固定スリット部との係合状態を解除しうる際に指を挿入しうる切欠部が形成されていることを特徴とする。
【００２３】
したがって、請求項６記載の考案にあっては、上記切欠部に指を挿入して上記係合スリット部と上記固定スリット部同士の係合状態を解除することができる。
【００２４】
請求項７記載の考案にあっては、上記底面板の上面には、ペット用のトイレシーツを配置しうるように形成され、トイレの組立時においては、上記底面板と、上記内側板部の端部とにより、上記底面板の上面に配置されたトイレシーツを挟持しうるように形成されていることを特徴とする。
【００２５】
したがって、請求項７記載の考案にあっては、上記底面板の上面にトイレシーツを配置することができる。
また、上記底面板と、上記内側板部の端部とにより、上記底面板の上面に配置したトイレシーツを挟持して上記トイレシーツを保持することができる。
【考案の効果】
【００２６】
請求項１記載のペット用トイレにあっては、上記一対の立設壁部と上記一対の側壁板部とは、夫々折り目を介して立設され、上記係合スリット部により立設状態を保持することができることから、使用時においては、上記折り目を介して容易に立設することができる。
また、上記係合スリット部を介して立設状態を保持しうることから、容易にペット用トイレの組立を行うことができ、かつ、上記立設壁部により所定の剛性を有するペット用トイレを形成することができる。
【００２７】
請求項２記載のペット用トイレにあっては、上記立設壁部は、外側板部と内側板部との双方により立設状態が保持されるように形成されていることから、使用時においてペットによる損壊を防止しうる剛性を有する。
したがって、簡易な構成により所定の剛性を有するペット用トイレを形成することができ、上記ペット用トイレの製造コストを低減することができる。
【００２８】
請求項３記載のペット用トイレにあっては、上記側壁板部には、上記立設壁部に形成されている係合スリット部に係合しうる固定スリット部が形成されていることから、使用時においては、上記係合スリット部と固定スリット部同士を係合させることにより、容易にトイレの組立を行うことができる。
したがって、上記側壁板部と、上記立設壁部同士を確実に保持して、ペットの使用時における破損を防止しうる剛性を有するペット用トイレを形成することができる。
【００２９】
請求項４記載のペット用トイレにあっては、上記内側板部には、上記側壁板部に形成されている固定スリット部に係合しうる係合スリット部が形成されていることから、上記固定スリット部と上記係合スリット部同士を係合させることにより、容易にトイレの組立を行うことができる。
また、上記内側板部と、上記側壁板部同士を確実に保持して、ペットの使用時における破損を防止しうる剛性を有するペット用トイレを形成することができる。
【００３０】
上記立設壁部は、上記外側板部と、上記連設板部と、上記内側板部とにより横断面コ字状に形成されていることから、上記コ字状の立設壁部により、ペットの使用による破損を防止しうる剛性を保つことができる。
【００３１】
また、上記内側板部は、上記係合スリット部と上記固定スリット部とを介して、上記側壁板部に係合していることから、剛性を有する上記立設壁部により、上記側壁板部の立設状態を確実に保持することができる。
したがって、ペットの使用による破損を防止しうる所定の剛性を有するペット用トイレを組み立てることができる。
【００３２】
請求項５記載のペット用トイレにあっては、上記底面板には、略中央において、上記一対の側壁板部の間に折り目部が形成されていることから、上記トイレの使用後においては、上記底面部の上面に排泄された排泄物を上記折り目部を介して内方に折り畳むことにより、上記折り畳まれた底面部同士により、上記排泄物を包んで上記ペット用トイレ全体を容易に廃棄することができる。
【００３３】
請求項６記載のペット用トイレにあっては、上記内側板部には、上記係合スリット部と、上記固定スリット部同士の係合状態を解除しうる際に指を挿入しうる切欠部が形成されていることから、使用後においては、上記切欠部に指を挿入して上記係合スリット部と上記固定スリット部同士の係合状態を解除することにより、上記立設壁部と、上記側壁板部の立設状態を解除することができる。
したがって、使用後においては、上記切欠部を介して容易にペット用トイレを分解して廃棄することができる。
【００３４】
請求項７記載のペット用トイレにあっては、上記底面板の上面にはペット用のトイレシーツを配置しうることから、犬や猫等のペットの排便後にトイレ容器の清掃をするにあっては、あらかじめトイレ容器に高吸収体ポリマー等が配合されたトイレ用シーツを敷いておくことにより、排泄後においては、単に上記トイレシーツを廃棄するだけで済むため便宜である。
【００３５】
また、上記底面板の上面に配置されたトイレシーツを挟持しうるように形成されていることから、犬や猫がトイレ容器内で歩いたり、または排便後の砂かけ行為を行った場合であっても、トイレ用シーツがずれてしまう事態を防ぐことができる。
【考案を実施するための最良の形態】
【００３６】
以下、添付図面に示す実施の形態に基づき、本考案にかかるペット用トイレを説明する。
【００３７】
本実施の形態に係るペット用トイレ１０は、図２に示すように、方形状の底面板１１と、上記底面板１１の互いに対向する一の辺部２５ａ，２５ｂに折り目１４ａ，１４ｂを介して立設可能に形成された一対の立設壁部１２ａ，１２ｂと、上記底面板１１の互いに対向する他の辺部２６ａ，２６ｂに折り目１５ａ，１５ｂを介して立設可能に形成された一対の側壁板部１３ａ，１３ｂとにより形成されているペット用トイレ１０であって、上記立設壁部１２ａ，１２ｂには、上記側壁板部１３ａ，１３ｂと係合することにより上記側壁板部１３ａ，１３ｂの立設状態を保持しうる係合スリット部２３ａ，２３ｂ，２３ｃ，２３ｄが形成されている。
【００３８】
また、図２に示すように、上記立設壁部１２ａ，１２ｂは、上記底面板１１の上記一の辺部２５ａ，２５ｂに沿って形成された折り目１４ａ，１４ｂを介して延設された外側板部１８ａ，１８ｂと、上記外側板部１８ａ，１８ｂに対し折り目２１ａ，２１ｂを介して延設された連設板部１９ａ，１９ｂと、上記連設板部１９ａ，１９ｂに対し折り目２２ａ，２２ｂを介して延設され、上記外側板部１８ａ，１８ｂと共に上記立設壁部１２ａ，１２ｂの立設状態を保持しうるように形成されている内側板部２０ａ，２０ｂとにより形成可能に構成されている。
【００３９】
また、上記側壁板部１３ａ，１３ｂには、上記立設壁部１２ａ，１２ｂに設けられている係合スリット部２３ａ，２３ｂ，２３ｃ，２３ｄに係合しうるように形成されている固定スリット部２４ａ，２４ｂ，２４ｃ，２４ｄが形成されている。
【００４０】
また、上記内側板部２０ａ，２０ｂには、上記側壁板部１３ａ，１３ｂに形成されている上記固定スリット部２４ａ，２４ｂ，２４ｃ，２４ｄに係合しうるように形成されている係合スリット部２３ａ，２３ｂ，２３ｃ，２３ｄが形成され、上記立設壁部１２ａ，１２ｂは、上記立設壁部１２ａ，１２ｂを構成しうる、上記外側板部１８ａ，１８ｂと、上記連設板部１９ａ，１９ｂと、上記内側板部２０ａ，２０ｂと、上記外側板部１８ａ，１８ｂと連設板部１９ａ，１９ｂを係合しうる折り目２１ａ，２１ｂ、及び上記連設板部１９ａ，１９ｂと内側板部２０ａ，２０ｂとを係合しうる折り目２２ａ，２２ｂを介して、横断面コ字状の立設壁部１２ａ，１２ｂを形成しうるように構成されている。
【００４１】
また、上記底面板１１には、略中央において、上記一対の側壁板部１３ａ，１３ｂの間に形成されている折り目２７が形成されている。
【００４２】
また、図１、図２に示すように、上記内側板部２０ａ，２０ｂには、略中央において、上記内側板部２０ａ，２０ｂに形成された係合スリット部２３ａ，２３ｂ，２３ｃ，２３ｄと、上記側壁板部１３ａ，１３ｂに形成された固定スリット部２４ａ，２４ｂ，２４ｃ，２４ｄとの係合状態を解除しうる際に指を挿入しうる切欠部２８ａ，２８ｂが形成されている。
【００４３】
また、図５に示すように、上記底面板１１の上面には、ペット用のトイレシーツ２９を配置しうるように形成され、トイレの組立時においては、上記底面板１１と、上記内側板部２０ａ，２０ｂの幅方向の端部３０ａ，３０ｂとにより、上記底面板１１の上面に配置されたトイレシーツ２９を挟持しうるように形成されている。
【実施例】
【００４４】
図１、図２は本実施例にかかるペット用トイレ１０を示したものである。
【００４５】
図２に示すように、本実施例にかかるペット用トイレ１０は、組立前においては、ダンボール紙などの剛性を有する厚紙素材により平板長方形状に形成され、図１に示すように、組立時においては、全体形状長方形の底面を有する箱体形状に形成されて使用される。
【００４６】
図２に示すように、上記ペット用トイレ１０は、方形状の底面板１１と、上記底面板１１の互いに対向する一の辺部２５ａ，２５ｂに折り目１４ａ，１４ｂを介して立設可能に形成された一対の立設壁部１２ａ，１２ｂと、上記底面板１１の互いに対向する他の辺部２６ａ，２６ｂに折り目１５ａ，１５ｂを介して立設可能に形成された一対の側壁板部１３ａ，１３ｂとにより形成されている．
【００４７】
図２に示すように、上記底面板１１は、長方形状に形成され、組立時においては、図１に示すように、上記ペット用トイレ１０の底面として配置される。
【００４８】
図２に示すように、上記底面板１１の長さ方向略中央において、上記底面板１１の幅方向に沿って、上記一対の側面版１３ａ，１３ｂの間に形成され、上記一対の側面版１３ａ，１３ｂに延設されている折り目２７が形成されている。
【００４９】
したがって、犬や猫等のペットが、上記底面板１１の上面に排泄物を排泄した後においては、上記折り目２７を介して上記底面板１１を内方に折り畳むことにより、上記底面板１１の上面に排泄された排泄物を折り畳まれた底面板１１により挟み込み、廃棄することができる。
【００５０】
図１、図２に示すように、上記立設壁部１２ａ，１２ｂは、夫々平面長方形状に形成された外側板部１８ａ，１８ｂと、連設板部１９ａ，１９ｂと、内側板部２０ａ，２０ｂとにより形成され、組立時においては、横断面コ字状に形成可能に構成されている。
【００５１】
上記外側板部１８ａ，１８ｂは、上記底面板１１の長さ方向の上記一の辺部２５ａ，２５ｂに沿って形成された折り目１４ａ，１４ｂを介して延設して形成されている。
【００５２】
図２に示すように、上記連設板部１９ａ，１９ｂは、上記外側板部１８ａ，１８ｂの幅方向端部のうち、上記底面部１１が設けられていない側において、上記外側板部１８ａ，１８ｂの長さ方向に沿って設けられた折り目２１ａ，２１ｂを介して、上記外側板部１８ａ，１８ｂの幅方向に対し延設して形成されている。
【００５３】
図２に示すように、上記内側板部２０ａ，２０ｂは、上記連設板部１９ａ，１９ｂの幅方向端部のうち、上記外側板部１８ａ，１８ｂが設けられていない側において、上記連設板部１９ａ，１９ｂの長さ方向に沿って設けられた折り目２２ａ，２２ｂを介して、上記連設板部１９ａ，１９ｂの幅方向に対し延設して形成されている。
【００５４】
図１に示すように、組立時においては、上記外側板部１８ａ，１８ｂと、上記連設板部１９ａ，１９ｂとは、上記折り目２１ａ，２１ｂを介して互いに略直角に折曲して形成され、上記連設板部１９ａ，１９ｂと、上記内側板部２０ａ，２０ｂとは、上記折り目２２ａ，２２ｂを介して互いに略直角に折曲して形成され、上記立設壁部１２ａ，１２ｂは、上記外側板部１８ａ，１８ｂと、上記連設板部１９ａ，１９ｂと、上記内側板部２０ａ，２０ｂとにより、横断面コ字状に形成しうる。
【００５５】
図２に示すように、上記内側板部２０ａ，２０ｂには、上記側壁板部１３ａ，１３ｂと係合することにより、上記側壁板部１３ａ，１３ｂの立設状態を保持しうる係合スリット部２３ａ，２３ｂ，２３ｃ，２３ｄが設けられている。
【００５６】
図２に示すように、上記係合スリット部２３ａ，２３ｂ，２３ｃ，２３ｄは、上記内側板部２０ａ，２０ｂの幅方向端部のうち、上記連設板部１９ａ，１９ｂが設けられていない側において、上記底面板１１の幅寸法Ｗ１と同寸法に形成された所定の間隔寸法Ｗ２をおいて夫々２つずつ形成されている。
【００５７】
図２に示すように、上記係合スリット部２３ａ，２３ｂ，２３ｃ，２３ｄの深さ寸法Ｗ３は、上記内側板部２０ａ，２０ｂの幅寸法Ｗ４の略半分の寸法に形成されている。
【００５８】
図１、図２に示すように、上記内側板部２０ａ，２０ｂには、上記内側板部２０ａ，２０ｂに形成された係合スリット部２３ａ，２３ｂ，２３ｃ，２３ｄと、上記側壁板部に形成された固定スリット部２４ａ，２４ｂ，２４ｃ，２４ｄとの係合状態を解除しうる際に指を挿入しうる切欠部２８ａ，２８ｂが形成されている。
【００５９】
上記切欠部２８ａ，２８ｂは、上記内側板部２０ａ，２０ｂの幅方向端部のうち、上記連設板部１９ａ，１９ｂが設けられていない側において、上記内側板部２０ａ，２０ｂの長さ方向略半分の位置において形成されている。
【００６０】
上記切欠部２８ａ，２８ｂは、上記内側板部２０ａ，２０ｂの幅方向に向かって指を挿入しうる大きさの径寸法を有する半円状に形成されている。
【００６１】
図２に示すように、上記側壁板部１３ａ，１３ｂは、平面長方形状に形成され、上記底面板１１の幅方向端部において、上記底面板１１の長さ方向に沿って設けられた折り目１５ａ，１５ｂを介して立設可能に形成されている。
【００６２】
上記側壁板部１３ａ，１３ｂには、上記立設壁部１２ａ，１２ｂに設けられている係合スリット部２３ａ，２３ｂ，２３ｃ，２３ｄに係合しうるように形成されている固定スリット部２４ａ，２４ｂ，２４ｃ，２４ｄが形成されている。
【００６３】
図２に示すように、上記固定スリット部２４ａ，２４ｂ，２４ｃ，２４ｄは、上記側壁板部１３ａ，１３ｂの長さ方向端部から、上記連設板部１９ａ，１９ｂの幅寸法Ｗ６と同じ間隔寸法Ｗ８をおいて、夫々配置されている。
したがって、組立時においては、上記側壁板部１３ａ，１３ｂと、上記連設板部１９ａ，１９ｂとにより、上記内側板部２０ａ，２０ｂと、上記外側板部１８ａ，１８ｂとを固定することができ、上記立設壁部１２ａ，１２ｂの立設状態を保持しうるように形成されている。
【００６４】
図２に示すように、上記側壁板部１３ａ，１３ｂの幅寸法Ｗ９は、上記立設壁部１２ａ，１２ｂを構成する上記内側板部２０ａ，２０ｂの幅寸法Ｗ４及び、上記外側板部１８ａ，１８ｂの幅寸法Ｗ７と同じ幅寸法に形成されている。
組立時においては、上記各幅寸法Ｗ９，Ｗ４及びＷ７が上記立設壁部１２ａ，１２ｂの高さ寸法となる。
【００６５】
図２に示すように、上記固定スリット部２４ａ，２４ｂ，２４ｃ，２４ｄの深さ寸法Ｗ５は、上記側壁板部１３ａ，１３ｂの幅寸法Ｗ９の略半分の寸法に形成されている。
【００６６】
上記内側板部２０ａ，２０ｂの幅寸法Ｗ４と、上記側壁板部１３ａ，１３ｂの幅寸法Ｗ９とは、略同寸法に形成されており、また、上記固定スリット部２４ａ，２４ｂ，２４ｃ，２４ｄの深さ寸法Ｗ５と、上記係合スリット部２３ａ，２３ｂ，２３ｃ，２３ｄの深さ寸法Ｗ３とは、夫々上記内側板部２０ａ，２０ｂの幅寸法Ｗ４と、上記側壁板部１３ａ，１３ｂの幅寸法Ｗ９の略半分の深さ寸法に形成されていることから、組立時においては、上記固定スリット部２４ａ，２４ｂ，２４ｃ，２４ｄと、上記係合スリット部２３ａ，２３ｂ，２３ｃ，２３ｄとが互いに係合され、上記立設壁部１２ａ，１２ｂと上記側壁板部１３ａ，１３ｂとの立設状態を保持しうるように形成されている。
【００６７】
以下、添付図面に示す実施例に基づき、本考案に係るペット用トイレ１０の作用について詳細に説明する。
【００６８】
ペット用トイレ１０は、図１に示すように、家庭などで犬や猫等のペットのしつけ用トイレとして用いられ、図４に示すように、高分子吸収体等により形成されているペット用のトイレシーツ２９等を上記底面板１１の上面に配置して用いられる。
【００６９】
上記ペット用トイレ１０の組立前においては、図２に示すように、平板長方形状の板状体に形成されており、薄型であることから、持ち運びに便宜であり、また収納時においても、物置の隙間などにおいて容易に収納することができる。
【００７０】
また、図２に示すように、上記底面板１１には、幅方向に沿って折り目２７が形成されていることから、上記折り目２７を介して長さ方向略半分に折り畳むことにより、更にコンパクトになり、携帯性、収納性に優れる形態にすることができる。
【００７１】
使用時においては、図３に示すように、上記底面板１１の幅方向両端部において、長さ方向に沿って設けられた折り目１５ａ，１５ｂを介して一対に設けられた側壁壁部１３ａ，１３ｂを、上記底面板１１に対し略直角方向に立設して組み立てる。
【００７２】
上記底面板１１の長さ方向両端部において延設して形成されている上記外側板部１８ａ，１８ｂと、上記連設板部１９ａ，１９ｂと、上記内側板部２０ａ，２０ｂとを、上記底面板１１の長さ方向端部において、幅方向に沿って設けられた折り目１４ａ，１４ｂと、上記外側板部１８ａ，１８ｂと連設板部１９ａ，１９ｂとを夫々折曲可能に係合しうる折り目２１ａ，２１ｂ、及び上記連設板部１９ａ，１９ｂと内側板部２０ａ，２０ｂとを夫々折曲可能に係合しうる折り目２２ａ，２２ｂを介して、各折り目１４ａ，１４ｂと、２１ａ，２１ｂと、２２ａ，２２ｂとを夫々略直角方向に折曲することにより、図１に示すように、横断面コ字状の立設壁部１２ａ，１２ｂを形成しうる。
【００７３】
図２、図３に示すように、上記横断面コ字状の立設壁部１２ａ，１２ｂを形成しうる際には、上記内側板部２０ａにおいて、上記底面板１１の幅寸法Ｗ１と略同寸法の間隔寸法Ｗ２をおいて設けられた各係合スリット部２３ａ，２３ｂを夫々上記側壁板部１３ａ，１３ｂに設けられた固定スリット部２４ａ，２４ｂに対し、互いに直交方向となるように係合させる。
【００７４】
同様に、上記内側板部２０ｂにおいて設けられている各係合スリット部２３ｃ，２３ｄを上記側壁板部１３ａ，１３ｂに設けられている固定スリット部２４ｃ，２４ｄに対し互いに直交方向となるように係合させる。
【００７５】
上記内側板部２０ａ，２０ｂの幅寸法Ｗ４と、上記側壁板部１３ａ，１３ｂの幅寸法Ｗ９とは、略同寸法に形成されており、また、上記各固定スリット部２４ａ，２４ｂ，２４ｃ，２４ｄの深さ寸法Ｗ５と、上記各係合スリット部２３ａ，２３ｂ，２３ｃ，２３ｄの深さ寸法Ｗ３とは、夫々上記内側板部２０ａ，２０ｂの幅寸法Ｗ４と、上記側壁板部１３ａ，１３ｂの幅寸法Ｗ９の略半分の深さ寸法に形成されていることから、上記固定スリット部２４ａと上記係合スリット部２３ａ、上記固定スリット部２４ｂと上記係合スリット部２３ｂ、上記固定スリット部２４ｃと上記係合スリット部２３ｃ、上記固定スリット部２４ｄと上記係合スリット部２３ｄとが互いに係合され、上記立設壁部１２ａと上記側壁板部１３ａ，上記立設壁部１２ｂと上記側壁板部１３ｂとの立設状態を保持しうるように形成することができる。
【００７６】
図１に示すように、上記立設壁部１２ａ，１２ｂは夫々、上記外側板部１９ａと内側板部２０ａ、上記外側板部１９ｂと内側板部２０ｂとにより各々二つの板材により立設状態が保持されて形成されていることから、簡易な形状でありながら、強固な立設状態を保持することができる。
【００７７】
上記ペット用トイレ１０の組立後においては、図１に示すように、全体形状が蓋無しの箱体状に形成され、上記底面板１１上にペットが乗り、上記底面板１１上に排泄物を排泄することができるペット用トイレとして使用することができる。
【００７８】
図４に示すように、上記底面板１１上に高分子吸収体等からなる犬や猫等のペット用のトイレシーツ２９を配置して使用することができ、ペットが上記トイレシーツ２９上において排泄物を排泄した後においては、上記トイレシーツ２９のみを取り外し、廃棄することができる。
【００７９】
上記ペット用トイレ１０はダンボールや厚紙などの剛性を有する紙等の低コスト素材により形成されているため、上記側壁板部１３ａ，１３ｂや立設壁部１２ａ，１２ｂに対し排泄物が付着して汚れたり、異臭を発するようになったりした場合には、上記ペット用トイレを洗浄せずに、使い捨てのペット用トイレ１０として廃棄することができる。
【００８０】
上記ペット用トイレ１０の廃棄時においては、図１に示すように、上記切欠部２８ａに指を引っ掛けて、上記底面板１１と、上記切欠部２８ａ間に指を挿入し、上記内側板部２０ａを上方へ持ち上げることにより、図３に示すように、上内側板部２０ａに設けられた係合スリット部２３ａ，２３ｂと、上記側壁板部１３ａ，１３ｂに設けられた固定スリット部２４ａ，２４ｂの係合状態を解除することができる。
【００８１】
同様に、上記切欠部２８ｂに指を引っ掛けて上方へ持ち上げることにより、上内側板部２０ｂに設けられた係合スリット部２３ｃ，２３ｄと、上記側壁板部１３ａ，１３ｂに設けられた固定スリット部２４ｃ，２４ｄの係合状態を解除することができる。
【００８２】
上記各係合スリット部２３ａ，２３ｂ，２３ｃ，２３ｄと上記固定スリット部２４ａ，２４ｂ，２４ｃ，２４ｄの係合状態が解除された後においては、上記立設壁部１２ａ，１２ｂと、側壁板部１３ａ，１３ｂの立設状態も解除され、上記底面板１１の長さ方向略中央において幅方向に沿って設けられている折り目２７を介して、折り畳むことができ、上記底面板１１の上面において配置された使用後のトイレシーツ２９や、排泄物を手を汚さずに底面板１１で折り畳んで挟みこんで廃棄することができ、その状態でビニール袋等に収納することにより、上記トイレシーツ２９や、排泄物を外部から視認できない状態で捨てることができ、美観を害せず処理でき、精神衛生上好ましい。
【００８３】
また、図５に示すように、ペット用のトイレシーツ２９の長さ方向両端部を上記底面板１１と上記内側板部２０ａ，２０ｂの幅方向の端部３０ａ，３０ｂにおいて挟持して、上記トイレシーツ２９を保持することができる。
【００８４】
このことにより、ペットが上記底面板１１上に配置されたトイレシーツ２９上で歩いたり、また、排便後の砂かけ行為などにより、上記トイレシーツ２９を蹴った場合であっても、上記トイレシーツ２９のずれを防止することができ、上記排泄物により汚染したトイレシーツ２９が上記ペット用トイレ１０からはみ出たり、トイレシーツ２９上の排泄物が飛散することを抑止することができる。
【産業上の利用可能性】
【００８５】
本件考案は、ペットの使い捨てトイレとして使用することができるとともに、使用時においては組立が容易で、使用後においては廃棄することができるペット用トイレに適用できるものである。
【図面の簡単な説明】
【００８６】
【図１】図１は、本考案に係るペット用トイレの実施例を示し、組み立てた状態を示す全体斜視図である。
【図２】図２は、本考案に係るペット用トイレの実施例を示し、展開状態を示す全体平面図である。
【図３】図３は、本考案に係るペット用トイレの実施例を示し、組み立てている途中の状態を示す全体斜視図である。
【図４】図４は、本考案に係るペット用トイレの実施例を示し、トイレシーツを配置した状態を示す全体斜視図である。
【図５】図５は、本考案に係るペット用トイレの実施例を示し、トイレシーツを底面板と内側板部の端部により挟持した状態を示す全体斜視図である。
【符号の説明】
【００８７】
１０    ペット用トイレ
１１    底面板
１２ａ  立設壁部
１２ｂ  立設壁部
１３ａ  側壁板部
１３ｂ  側壁板部
１４ａ  折り目
１４ｂ  折り目
１５ａ  折り目
１５ｂ  折り目
１８ａ  外側板部
１８ｂ  外側板部
１９ａ  連設板部
１９ｂ  連設板部
２０ａ  内側板部
２０ｂ  内側板部
２１ａ  折り目
２１ｂ  折り目
２２ａ  折り目
２２ｂ  折り目
２３ａ  係合スリット部
２３ｂ  係合スリット部
２３ｃ  係合スリット部
２３ｄ  係合スリット部
２４ａ  固定スリット部
２４ｂ  固定スリット部
２４ｃ  固定スリット部
２４ｄ  固定スリット部
２５ａ  一の辺部
２５ｂ  一の辺部
２６ａ  他の辺部
２６ｂ  他の辺部
２７    折り目
２８ａ  切欠部
２８ｂ  切欠部
２９    トイレシーツ
３０ａ  端部
３０ｂ  端部
Ｗ１    幅寸法
Ｗ２    間隔寸法
Ｗ３    深さ寸法
Ｗ４    幅寸法
Ｗ５    深さ寸法
Ｗ６    幅寸法
Ｗ７    幅寸法
Ｗ８    間隔寸法
Ｗ９    幅寸法
【図１】
0003115332.tif 000003
【図２】
0003115332.tif 000004
【図３】
0003115332.tif 000005
【図４】
0003115332.tif 000006
【図５】
0003115332.tif 000007